(57)【要約】      （修正有）【課題】ボックスティッシュに容易にセットすることができるとともに、ボックスティッシュの紙箱を傷めることのないボックスティッシュのホルダを提供する。【解決手段】ボックスティッシュのホルダは、その本体を、伸縮可能で柔軟性を有する素材からなり、リング状の枠体１ａと該枠体の外周に備えられた複数の紐通し部１ｂを一体に形成し、ボックスティッシュ４を本体に容易にセットすることができるとともに、ボックスティッシュ４の紙箱を傷めることがない。【選択図】図３
0003177940.tif 000002
【実用新案登録請求の範囲】
【請求項１】
ボックスティッシュのホルダの本体は、伸縮可能で柔軟性を有する素材からなり、リング状の枠体と該枠体の外周に備えられた紐通し部とを一体に形成して構成したことを特徴とするボックスティッシュのホルダ。
【請求項２】
該枠体にさらにフック部を一体に形成して構成したことを特徴とする請求項１に記載のボックスティッシュのホルダ。
【考案の詳細な説明】
【技術分野】
【０００１】
本考案は、自動車内の適宜場所にボックスティッシュを吊り下げるためのホルダに関する。
【背景技術】
【０００２】
従来、自動車内の適宜箇所にボックスティッシュを吊り下げるための簡易的なホルダが種々提案されている。例えば、特開２００６−５６５９６公報（特許文献１）に開示されたホルダは、ボックスティッシュの側面にある解体用の穴に平バネからなるホルダをセットして適宜箇所に紐などを用いて吊り下げて使用するものである。
【０００３】
ま た、実用新案登録第３１２４８２１号（特許文献２）に開示されたホルダは、特許文献１と同様に、ボックスティッシュ側面の穴を利用するもので、ボックスティッシュの両側面の穴に左右一対の片を差し込んでセットし、片の上端部に開口した穴に紐を通して適宜箇所に吊り下げて使用するものである。
【先行技術文献】
【特許文献】
【０００４】
【特許文献１】特開２００６−５６５９６公報
【特許文献２】実用新案登録第３１２４８２１号公報
【考案の概要】
【考案が解決しようとする課題】
【０００５】
特許文献１及び２のホルダは、ボックスティッシュの側面に予め備えられた解体用のミシン目を切ることによって開口する穴を用いてセットするものである。しかしながらボックスティッシュは紙箱であるため乱雑に扱うとホルダをセットした部分が容易に破れてホルダ自体が脱落してしまう。このようなときは、ボックスティッシュの破れた部分をテープなどで補修しあらためてホルダをセットすることで問題なく使用することができるが、一度破損してしまうともはやこのようなホルダを使う気にもならず放置してしまうのが通例である。
【０００６】
そこで本考案は、かかる課題を考慮し、ボックスティッシュに容易にセットすることができるとともに、ボックスティッシュの紙箱を傷めることのないボックスティッシュのホルダを提供することを目的としている。
【課題を解決するための手段】
【０００７】
かかる課題を解決するために、本考案の請求項１によれば、ボックスティッシュのホルダの本体は、伸縮可能で柔軟性を有する素材からなり、リング状の枠体と該枠体の外周に備えられた紐通し部とを一体に形成して構成したことで解決される。
【０００８】
また、本考案の請求項２によれば、該枠体にさらにフック部を一体に形成して構成したことで解決される。
【考案の効果】
【０００９】
本考案の請求項１によれば、ボックスティッシュのホルダの本体は、伸縮可能で柔軟性を有する素材からなり、リング状の枠体と該枠体の外周に備えられた紐通し部とを一体に形成して構成したので、ボックスティッシュをホルダ本体に容易にセットすることができるとともに、ボックスティッシュの紙箱を傷めることがなく、手で持ったときも滑りづらいので使い勝手を向上した。
【００１０】
本考案の請求項２によれば、該枠体にさらにフック部を一体に形成して構成したので、フック部にタオルや買い物ポリ袋の取っ手を押し込んで固定し、タオル掛けとしての利用やゴミ入れとしての利用などさらなる使い勝手の向上を実現した。
【図面の簡単な説明】
【００１１】
【図１】ボックスティッシュのホルダの説明図である。
【図２】ボックスティッシュのホルダの正面図である。
【図３】使用状態を示す説明図である。
【図４】使用状態を示す説明図である。
【考案を実施するための形態】
【００１２】
本考案のボックスティッシュのホルダは、その本体（１）を、伸縮可能で柔軟性を有する素材からなり、リング状の枠体（１ａ）と該枠体の外周に備えられた複数の紐通し部（１ｂ）を一体に形成したので、ボックスティッシュ（４）を本体（１）に容易にセットすることができるとともに、ボックスティッシュ（４）の紙箱を傷めることがない。
【実施例１】
【００１３】
以下、本考案の第１実施例について、図面を参照して詳細に説明する。図１は、本考案のボックスティッシュのホルダの説明図、図２は、ボックスティッシュのホルダの正面図である。ボックスティッシュのホルダの本体（１）は、伸縮可能で柔軟性を有する素材からなり、リング状の枠体（１ａ）と該枠体の外周に備えられた複数の紐通し部（１ｂ）を一体に形成して構成される。
【００１４】
本体（１）は、伸縮可能で柔軟性を有するシリコーンゴムなどのエラストマー素材が好適に用いられる。また、エラストマー素材はその特性上、摩擦係数が高く滑りづらいので本体（１）をボックスティッシュ（４）の側面周囲に嵌めて装着すれば伸縮性による若干の締め付け力と相まって容易にずれることがない。
【００１５】
また、ボックスティッシュ（４）のおおよその寸法は平面視で縦２４０mm×横１１５ｍｍであるので、これからボックスティッシュ（４）の側面周囲寸法が算出される。これにより枠体（１ａ）の内径寸法は、その側面周囲寸法よりも若干小さめに設定することで適宜伸縮力によって前記したようにボックスティッシュ（４）を潰すことなく確実に嵌着される。
【００１６】
図３及び図４は、使用状態を示す説明図である。図３は、ボックスティッシュ（４）を横にして枠体（１ａ）を嵌めた状態、図４は、ボックスティッシュ（４）を縦にして枠体（１ａ）を嵌めた状態を示している。何れの図もボックスティッシュ（４）の側面周囲に枠体（１ａ）を嵌着するときに複数の紐通し部（１ｂ）がボックスティッシュ（４）の上辺あるいは上方に均等に配置されるように枠体（１ａ）を嵌着する。そして、紐通し部（１ｂ）に紐（２）を通して吸盤（３）などの止着手段を用いて車内のサイドウィンドウなど適宜箇所に吊り下げて使用することができる。また、吸盤（３）を用いない場合は、紐（２）を座席のヘッドレストやフックなどに吊り下げれば良い。
【００１７】
これにより、例えばミニバン型車両などで多人数ドライブするときに、本体（１）を嵌着したままボックスティッシュ（４）をあちこち使いまわすといった乱雑な使い方をしたとしても、ボックスティッシュ（４）の紙箱を痛めることなく使用することができる。また、本体（１）はシリコーンゴムなどのエラストマー素材の特性上、手で持ったときも滑りづらいので使い勝手も向上した。
【実施例２】
【００１８】
以下、本考案の第２の実施例について図面を参照して詳細に説明する。第２の実施例においては、実施例１で説明した本体（１）のリング状の枠体（１ａ）にさらにフック部（１ｃ）を一体に形成したことを特徴とする。
【００１９】
図１及び図２に示されるように、ボックスティッシュのホルダの本体（１）は、伸縮可能で柔軟性を有する素材からなり、リング状の枠体（１ａ）と該枠体の外周に備えられた複数の紐通し部（１ｂ）とフック部（１ｃ）とを一体に形成して構成した。フック部（１ｃ）は、中央に星状の切れ込みを形成して、紐通し部（１ｂ）とは相対する枠体（１ａ）の位置に複数備えられる。
【００２０】
図３の使用状態を示す説明図に示されるように、ボックスティッシュ（４）を嵌着した枠体（１ａ）の下方に位置するフック部（１ｃ）には、タオル（５）が固定されている。タオル（５）は、フック部（１ｃ）中央の星状の切れ込みに端部を押し込んで固定され、星状の切れ込みの先端が引っ掛かって抜け止めの作用を有する。図3においては、タオル（５）を固定した状態を示しているが、例えば、買い物時に商品を入れるポリ袋の取っ手部分をタオル（５）と同様にしてフック部（１ｃ）に押し込んで固定すれば簡易的なゴミ入れとして利用することも可能である。（図示せず）
【符号の説明】
【００２１】
１    本体
１ａ  枠体
１ｂ  紐通し部
１ｃ  フック部
２    紐
３    吸盤
４    ボックスティッシュ
【図１】
0003177940.tif 000003
【図２】
0003177940.tif 000004
【図３】
0003177940.tif 000005
【図４】
0003177940.tif 000006